(57)【要約】【課題】ストリーミング配信中の通信機器のバージョンアップにおいて、データの欠落を防ぐと共に、ストリーミング配信の一時停止をユーザへ通知する。【解決手段】ストリーミング配信サーバから端末へのデータのストリーミング配信を中継する通信機器であって、端末がストリーミング配信時か否かの情報を保存する状態保存部と、通信機器のバージョンアップ時に、状態保存部の保存情報に基づいて端末がストリーミング配信時か否かを判断し、ストリーミング配信時であれば、バージョンアップ中のストリーミング配信サーバから端末へのデータのストリーミング配信を強制的に一時停止させる制御部とを有する。【選択図】図１
2011015028.tif 000002
【特許請求の範囲】
【請求項１】
ストリーミング配信サーバから端末へのデータのストリーミング配信を中継する通信機器であって、
前記端末がストリーミング配信時か否かの情報を保存する状態保存部と、
前記通信機器のバージョンアップ時に、前記状態保存部の保存情報に基づいて前記端末がストリーミング配信時か否かを判断し、ストリーミング配信時であれば、バージョンアップ中の前記ストリーミング配信サーバから前記端末へのデータのストリーミング配信を強制的に一時停止させる制御部と、
を有することを特徴とする通信機器。
【請求項２】
前記制御部は、前記通信機器のバージョンアップ時に、前記状態保存部の保存情報に基づいて前記端末がストリーミング配信時か否かを判断し、動画配信時であれば、バージョンアップ前に、前記ストリーミング配信サーバにストリーミング配信の一時停止を要求すると共に、前記端末にストリーミング配信の一時停止を通知することを特徴とする請求項１記載の通信機器。
【請求項３】
前記制御部は、前記通信機器のバージョンアップ時に、前記状態保存部の保存情報に基づいて前記端末がストリーミング配信時か否かを判断し、ストリーミング配信時であれば、バージョンアップ前に、前記端末にストリーミング配信の一時停止を通知することにより、前記端末から前記ストリーミング配信サーバへストリーミング配信の一時停止を要求させることを特徴とする請求項１記載の通信機器。
【請求項４】
請求項１から３のいずれか１項記載の通信機器と、
前記通信機器にネットワークを介して接続されるストリーミング配信サーバと、
前記通信機器を経由して前記ストリーミング配信サーバからのストリーミング配信を受ける端末とを有することを特徴とするストリーミング配信システム。
【請求項５】
前記端末に、ストリーミング配信データを記憶する記憶媒体が接続されることを特徴とする請求項４記載のストリーミング配信システム。
【請求項６】
ストリーミング配信サーバから端末へのデータのストリーミング配信を中継する通信機器のストリーミング配信時のバージョンアップ制御方法であって、
前記端末がストリーミング配信時か否かの情報を状態保存部に保存し、
前記通信機器のバージョンアップ時に、前記状態保存部の保存情報に基づいて前記端末がストリーミング配信時か否かを判断し、ストリーミング配信時であれば、バージョンアップ中の前記ストリーミング配信サーバから前記端末へのデータのストリーミング配信を強制的に一時停止させる
ことを特徴とする通信機器のストリーミング配信時のバージョンアップ制御方法。
【請求項７】
前記通信機器のバージョンアップ時に、前記状態保存部の保存情報に基づいて前記端末がストリーミング配信時か否かを判断し、動画配信時であれば、バージョンアップ前に、前記ストリーミング配信サーバにストリーミング配信の一時停止を要求すると共に、前記端末にストリーミング配信の一時停止を通知することを特徴とする請求項６記載の通信機器のストリーミング配信時のバージョンアップ制御方法。
【請求項８】
前記通信機器のバージョンアップ時に、前記状態保存部の保存情報に基づいて前記端末がストリーミング配信時か否かを判断し、ストリーミング配信時であれば、バージョンアップ前に、前記端末にストリーミング配信の一時停止を通知することにより、前記端末から前記ストリーミング配信サーバへストリーミング配信の一時停止を要求させることを特徴とする請求項６記載の通信機器のストリーミング配信時のバージョンアップ制御方法。
【請求項９】
ストリーミング配信サーバから端末へのデータのストリーミング配信を中継する通信機器のストリーミング配信時のバージョンアップ制御プログラムであって、
コンピュータに、
前記端末がストリーミング配信時か否かの情報を状態保存部に保存するステップと、
前記通信機器のバージョンアップ時に、前記状態保存部の保存情報に基づいて前記端末がストリーミング配信時か否かを判断し、ストリーミング配信時であれば、バージョンアップ中の前記ストリーミング配信サーバから前記端末へのデータのストリーミング配信を強制的に一時停止させるステップと、
を実行させることを特徴とする通信機器のストリーミング配信時のバージョンアップ制御プログラム。
【請求項１０】
前記ストリーミング配信を強制的に一時停止させるステップは、
前記通信機器のバージョンアップ時に、前記状態保存部の保存情報に基づいて前記端末がストリーミング配信時か否かを判断し、動画配信時であれば、バージョンアップ前に、前記ストリーミング配信サーバにストリーミング配信の一時停止を要求すると共に、前記端末にストリーミング配信の一時停止を通知するものであることを特徴とする請求項９記載の通信機器のストリーミング配信時のバージョンアップ制御プログラム。
【請求項１１】
前記ストリーミング配信を強制的に一時停止させるステップは、
前記通信機器のバージョンアップ時に、前記状態保存部の保存情報に基づいて前記端末がストリーミング配信時か否かを判断し、ストリーミング配信時であれば、バージョンアップ前に、前記端末にストリーミング配信の一時停止を通知することにより、前記端末から前記ストリーミング配信サーバへストリーミング配信の一時停止を要求させるものであることを特徴とする請求項９記載の通信機器のストリーミング配信時のバージョンアップ制御プログラム。
【発明の詳細な説明】
【技術分野】
【０００１】
本発明は、ストリーミング配信システム、通信機器、そのストリーミング配信時のバージョンアップ制御方法及びプログラムに係り、特にストリーミング配信のデータ保障方法に関する。
【背景技術】
【０００２】
従来、ソフトウェアの自動バージョンアップ機能を有する通信機器において、バージョンアップサーバにより各通信機器の更新時間が管理されている場合、動画配信サーバからその通信機器を中継して端末へストリーミング動画配信中にその通信機器の更新時間になると、バージョンアップサーバからその通信機器へのバージョンアップが自動的に実施される可能性がある。
【０００３】
更に、バージョンアップ後に通信機器の再起動を必要とする場合、その通信機器から端末へ転送中のデータが欠落することにより、バージョンアップ後、動画配信サーバからの動画配信が復旧されても動画の一部が失われる恐れがあった。
【０００４】
また、動画配信サーバからの動画配信が急に一時停止してしまうと、端末のユーザが困惑する恐れがあった。
【０００５】
これに関し、特許文献１には、ネットワーク機器をネットワークに中継するための中継装置を管理するシステムが記載されている。
【０００６】
このシステムは、各々が固有の識別番号を有し、所定の制御を行うためのファームウェアが搭載され、１または２以上のネットワーク機器が接続されて該ネットワーク機器をネットワークに中継する複数の中継装置と、ネットワークを介して識別番号により中継装置を認証する認証サーバと、認証された中継装置に対してネットワークを介してファームウェアの更新ファイルを提供する更新サーバとを含み、中継装置は、自動的に更新サーバにアクセスしてファームウェアの更新ファイルの有無を確認する。
【０００７】
また、特許文献２には、配信サーバから受信したストリーミングデータを蓄積し、蓄積されたストリーミングデータを再生し、着信相手から受信した音声データを記録する携帯端末装置が記載されている。
【０００８】
この携帯端末装置は、着信の際に配信サーバに対してストリーミングデータの送信停止を要求し、音声データの記録の終了後、配信サーバに対してストリーミングデータの送信再開を要求し、着信の際に蓄積されているストリーミングデータの残量を検出し、検出された残量に対応した時間分の音声データを記録させる。
【０００９】
さらに、特許文献３には、コンテンツデータを配信する配信装置と、配信装置を頂点として階層構造で接続される複数の端末装置とを有し、配信装置からのコンテンツデータが端末装置により順次下流に中継されて複数の端末装置全てに配信されるコンテンツ配信システムが記載されている。
【００１０】
このコンテンツ配信システムでは、配信装置は、下流の端末装置へコンテンツデータを送信し、端末装置からのソフトウェアの更新要求を下流の端末装置に中継し、端末装置は、コンテンツデータを下流の端末装置へ転送し、更新要求を下流の端末装置へ中継する。ここで、端末装置は、更新要求中の識別情報の条件に合致するソフトウェアを有している場合に当該更新要求に含まれる要求元所在情報に基づきその要求元端末装置へ肯定応答を送信し、所定の装置へ更新要求を送信し、複数の端末装置に対し更新要求を配信するよう要求し、これに肯定応答してきた端末装置に対して更新ソフトウェアのダウンロード要求を送信して更新ソフトウェアを取得する。
【先行技術文献】
【特許文献】
【００１１】
【特許文献１】特開２００４−２７２７７０号公報
【特許文献２】特開２００６−２７０７２９号公報
【特許文献３】特開２００７−２３３６５２号公報
【発明の概要】
【発明が解決しようとする課題】
【００１２】
現在、ルータなどの通信機器では、バージョンアップが端末には通知されず、バージョンアップサーバによって自動で行われる機能を有するものがある。しかしながら、自動バージョンアップでは、次のような課題がある。
【００１３】
第一の課題は、ストリーミング再生のような動画配信中に、通信機器がバージョンアップされた場合、転送中データの欠落が発生することにある。
【００１４】
第二の課題は、ストリーミング再生のような動画配信時に、通信機器がバージョンアップされた場合、端末で動画の一時停止が生じるが、一時停止されることがユーザに通知されないことにある。
【００１５】
これらの課題は、特許文献１〜３においても同様である。
【００１６】
本発明の目的は、上記課題を解決し、ストリーミング配信中の通信機器のバージョンアップにおいて、データの欠落を防ぐと共に、ストリーミング配信の一時停止をユーザへ通知することができるストリーミング配信システム、通信機器、そのストリーミング配信時のバージョンアップ制御方法及びプログラムを提供することにある。
【課題を解決するための手段】
【００１７】
上記目的を達成するため、本発明に係る通信機器は、ストリーミング配信サーバから端末へのデータのストリーミング配信を中継する通信機器であって、前記端末がストリーミング配信時か否かの情報を保存する状態保存部と、前記通信機器のバージョンアップ時に、前記状態保存部の保存情報に基づいて前記端末がストリーミング配信時か否かを判断し、ストリーミング配信時であれば、バージョンアップ中の前記ストリーミング配信サーバから前記端末へのデータのストリーミング配信を強制的に一時停止させる制御部と、を有することを特徴とする。
【００１８】
本発明に係るストリーミング配信システムは、上記に記載の通信機器と、前記通信機器にネットワークを介して接続されるストリーミング配信サーバと、前記通信機器を経由して前記ストリーミング配信サーバからのストリーミング配信を受ける端末とを有することを特徴とする。
【００１９】
本発明に係る通信機器のストリーミング配信時のバージョンアップ制御方法は、ストリーミング配信サーバから端末へのデータのストリーミング配信を中継する通信機器のストリーミング配信時のバージョンアップ制御方法であって、前記端末がストリーミング配信時か否かの情報を状態保存部に保存し、前記通信機器のバージョンアップ時に、前記状態保存部の保存情報に基づいて前記端末がストリーミング配信時か否かを判断し、ストリーミング配信時であれば、バージョンアップ中の前記ストリーミング配信サーバから前記端末へのデータのストリーミング配信を強制的に一時停止させることを特徴とする。
【００２０】
本発明に係る通信機器のストリーミング配信時のバージョンアップ制御プログラムは、ストリーミング配信サーバから端末へのデータのストリーミング配信を中継する通信機器のストリーミング配信時のバージョンアップ制御プログラムであって、コンピュータに、前記端末がストリーミング配信時か否かの情報を状態保存部に保存するステップと、前記通信機器のバージョンアップ時に、前記状態保存部の保存情報に基づいて前記端末がストリーミング配信時か否かを判断し、ストリーミング配信時であれば、バージョンアップ中の前記ストリーミング配信サーバから前記端末へのデータのストリーミング配信を強制的に一時停止させるステップと、を実行させることを特徴とする。
【発明の効果】
【００２１】
本発明によれば、データのストリーミング配信中の通信機器のバージョンアップにおいて、データの欠落を防ぐと共に、ストリーミング配信の一時停止をユーザへ通知することができる。
【図面の簡単な説明】
【００２２】
【図１】本発明の第１の実施の形態に係るストリーミング配信システムの全体構成を示す概略ブロック図である。
【図２】本発明の第２の実施の形態に係るストリーミング配信システムの全体構成を示す概略ブロック図である。
【図３】図２に示すルータの内部構成を示す概略ブロック図である。
【図４】本発明の第２の実施の形態に係るストリーミング配信システムの動作を説明する概略フローチャートである。
【図５】本発明の第３の実施の形態に係るストリーミング配信システムの動作を説明する概略フローチャートである。
【図６】本発明の第４の実施の形態に係るストリーミング配信システムの全体構成を示す概略ブロック図である。
【発明を実施するための形態】
【００２３】
次に、本発明に係るストリーミング配信システム、通信機器、そのストリーミング配信時のバージョンアップ制御方法及びプログラムの実施の形態について、図面を参照して詳細に説明する。
【００２４】
（第１の実施の形態）
図１は、本発明の第１の実施の形態に係るストリーミング配信システムの構成を説明するものである。
【００２５】
本実施の形態に係るストリーミング配信システムは、動画データをストリーミング配信する動画配信サーバ（ストリーミング配信サーバ）１と、この動画配信サーバ１にネットワーク２を介して接続される回線終端装置等の第１通信機器３と、この第１通信機器３に接続されるルータ等の第２通信機器４と、この第２通信機器４を介して動画配信サーバ１からの動画配信を利用する端末５とから構成される。ネットワーク２には、第２通信機器４のバージョンアップを実施するバージョンアップサーバ６も接続されている。
【００２６】
図１において、第２通信機器４がバージョンアップする際、事前に動画配信サーバ１へ動画配信の一時停止を要求する信号を送信し、なおかつ端末５側へ動画の一時停止を通知する信号を送信する。
【００２７】
このようにして、本実施の形態では、動画配信中に第２通信機器４にてバージョンアップが実施されるとき、動画配信を強制的に一時停止させ、第２通信機器４のバージョンアップ中のデータ転送を避けることで、データの欠落を防ぐこと、また動画配信を利用するユーザに対して動画配信の一時停止を通知することを可能とする。
【００２８】
従って、本実施の形態によれば、バージョンアップ前に動画配信サーバ１に配信の一時停止を要求し、バージョンアップ中の動画配信を避けることで、データの欠落を防ぐと共に、端末５に配信が一時停止することを通知することで、ユーザに動画の一時停止がバージョンアップによるものであると認知させることができる。
【００２９】
なお、上記実施の形態では、第２通信機器４がバージョンアップしたときであるが、第１通信機器３がバージョンアップしたときも同様な効果が得られる。
【００３０】
また、上記実施の形態では、データとして動画データをストリーミング配信する場合を説明しているが、本発明はこれに限らず、音声データをストリーミング配信する場合でも同様な効果が得られる。
【００３１】
（第２の実施の形態）
次に、本発明の第２の実施の形態について説明する。
【００３２】
図２は、本実施の形態に係るストリーミング配信システムの構成を説明するものである。図２に示すストリーミング配信システムは、動画をストリーミング配信する動画配信サーバ（ストリーミング配信サーバ）１１と、この動画配信サーバ１１にネットワーク１２を介して接続され、回線を終端する回線終端装置（通信機器）１３と、この回線終端装置１３に接続されるルータ（通信機器）１４と、このルータ１４を介して動画配信サーバ１１からの動画配信を利用するＰＣ（パーソナルコンピュータ）などの端末１５とから構成される。ネットワーク１２には、ルータ１４等の通信機器のソフトウェア（通信プログラム等）のバージョンアップを管理するバージョンアップサーバ１６も接続されている。
【００３３】
図３は、ルータ１４の内部構成を説明するものである。図３に示すルータ１４は、端末１５と接続されるＬＡＮ（Local Area Network)接続部１４１と、回線終端装置１３と接続されるＷＡＮ(Wide Area Network)接続部１４２と、ＣＰＵ（Central Processing Unit）などの制御部１４３と、端末１５が動画配信時か否かの情報を保存しておく状態保存部１４４とから構成される。
【００３４】
次に、図４に示すフローチャートを参照して、本実施の形態の動作について説明する。その前提として、バージョンアップが端末１５に通知されず、バージョンアップサーバ１６が自動で行い、なおかつバージョンアップの時間がバージョンアップサーバ１６により指定されているものとする。また、バージョンアップ後に再起動を必要とし、ストリーミング動画配信中に強制的にバージョンアップが行われる場合を想定する。
【００３５】
まず、端末１５によりストリーミング動画配信サービスを利用する際、端末１５から動画配信サーバ１１へ動画配信の開始を要求する動画配信開始信号を送信する（ステップＳｔ１）。この動画配信開始信号は、ルータ１４を経由するため、ルータ１４では、端末１５が動画配信利用中であることを状態保存部１４４に記憶させる（ステップＳｔ２）。
【００３６】
動画配信サーバ１１は、動画配信開始信号を受けると、端末１５への動画の配信を開始する（ステップＳｔ３）。これにより、端末１５は、動画配信サーバ１１から配信される動画の再生を開始する（ステップＳｔ４）。
【００３７】
ルータ１４は、バージョンアップサーバ１６からバージョンアップの要求を受けると（ステップＳｔ５）、制御部１４３により、バージョンアップする際、まず状態保存部１４４の保存情報を確認し、その情報に基づいて端末１５が動画配信を利用中か否かを判断する（ステップＳｔ６）。その結果、端末１５が動画配信を利用中であれば（ステップＳｔ６：ＹＥＳ）、ルータ１４は、制御部１４３により、動画配信サーバ１１へ動画配信を一時停止させる信号である配信停止要求信号を送信する（ステップＳｔ７）。動画配信サーバ１１では、この配信停止要求信号を受信したら動画配信を一時停止させる（ステップＳｔ８）。一方、端末１５が動画配信を利用中でなければ（ステップＳｔ６：ＮＯ）、ルータ１４は、後述のステップＳｔ１１の処理に移行する。
【００３８】
また、ルータ１４では、制御部１４３により、バージョンアップ前に端末４にも動画配信が一時停止されることを通知する信号である配信停止通知信号を送信する（ステップＳｔ９）。端末１５では、この配信停止通知信号を受信したら、動画配信が一時停止されることを表示し（ステップＳｔ１０）、ユーザに知らせる。
【００３９】
次いで、ルータ１４では、制御部１４３により、バージョンアップサーバ１６からのバージョンアップを開始し（ステップＳｔ１１）、そのバージョンアップが終わると、再起動し（ステップＳｔ１２）、その再起動も終わったら、動画配信の一時停止を解除する信号である配信停止解除信号を動画配信サーバ１１に送出する（ステップＳｔ１３）。
【００４０】
動画配信サーバ１１では、この配信停止解除信号を受信したら動画配信を再開する（ステップＳｔ１４）。一方、端末１５では、その動画再生が再開する（ステップＳｔ１５）。
【００４１】
以上の動作により、ストリーミング動画配信中にルータ１４がバージョンアップした場合において、データの欠落なく、またバージョンアップによる動画の一時停止をユーザに通知することを可能とする。
【００４２】
以上説明したように、本実施の形態においては、以下に記載するような効果を奏する。
【００４３】
第一の効果は、ストリーミング動画配信中にルータ１４でユーザが予期せぬ自動バージョンアップが行われたときの、データの欠落を防ぐことである。
【００４４】
第二の効果は、ストリーミング動画配信が一時停止された場合、ルータ１４から端末１５に配信一時停止通知信号を送出するため、一時停止すること及びその原因をユーザに知らせることができる。
【００４５】
なお、上記実施の形態では、ルータ１４がバージョンアップしたときであるが、回線終端装置１３がバージョンアップしたときも同様な効果が得られる。
【００４６】
また、上記実施の形態では、データとして動画データをストリーミング配信する場合を説明しているが、音声データをストリーミング配信する場合でも同様な効果が得られる。
【００４７】
また、上記実施の形態では、強制的なバージョンアップの場合を説明しているが、バージョンアップサーバ１６で更新時間が定められているが緊急性を要しない場合には、バージョンアップできない状況であることを何らかの信号でバージョンアップサーバ１６に知らせることができる構成を採用してもよい。この場合も、データの欠落を防ぎ、なおかつ動画を一時停止する必要がなくなる。
【００４８】
（第３の実施の形態）
次に、本発明の第３の実施の形態について説明する。本実施の形態では、第２の実施の形態と同様の構成要素を有しているため、同一符号を付してその説明を省略する。
【００４９】
図５は、本実施の形態に係るストリーミング配信システムの動作を説明するフローチャートを示す。本実施の形態では、図４に示す第２の実施の形態のステップＳｔ７〜Ｓｔ１０の処理に代えて、ステップＳｔ２１〜Ｓｔ２４の処理を採用している。
【００５０】
第２の実施の形態では、ルータ１４から端末１５に配信停止通知信号を、動画配信サーバ１１に配信停止要求信号をそれぞれ送信している（ステップＳｔ７〜Ｓｔ１０）。
【００５１】
これに対し、本実施の形態では、ルータ１４から端末１５に配信停止通知信号を送信し（ステップＳｔ２１）、これにより端末１５で動画配信が一時停止されることを表示し（ステップＳｔ２２）、その後で端末１５から動画配信サーバ１１に配信停止要求信号を送信し（ステップＳｔ２３）、これにより動画配信サーバ１１で動画配信を再開している（ステップＳｔ２４）。こうすることで、第２の実施の形態と同様の効果が得られる。
【００５２】
（第４の実施の形態）
次に、本発明の第４の実施の形態について説明する。第２の実施の形態と同様の構成要素については、同一符号を付してその説明を省略する。
【００５３】
図６は、本実施の形態に係るストリーミング配信システムの構成を説明するものである。第２の実施の形態では、バージョンアップ中の動画配信サーバ１１からのデータを一時停止することで動画データの欠落を防いでいる。これに対し、本実施の形態では、図６に示すように、端末１５にハードディスク等の記憶媒体１７を用意し、事前に動画データを記憶させておく。こうすることで、データの欠落を防ぎ、なおかつ動画を一時停止する必要がなくなる。
【００５４】
なお、本発明の上記各実施形態に係るストリーミング配信システム、ルータ等の通信機器、そのストリーミング配信時のバージョンアップ制御方法は、ハードウェア、ソフトウェア又はこれらの組合せにより実現することができる。
【００５５】
例えば、上記各実施形態に係るルータ等の通信機器は、ハードウェアによっても実現することもできるが、コンピュータをその通信機器として機能させるためのプログラムをコンピュータがコンピュータ読み取り可能な記録媒体から読み込んで実行することによっても実現することができる。
【００５６】
また、上記各実施形態に係るルータ等の通信機器のストリーミング配信時のバージョンアップ制御方法は、ハードウェアによっても実現することもできるが、コンピュータにその方法を実行させるためのプログラムをコンピュータがコンピュータ読み取り可能な記録媒体から読み込んで実行することによっても実現することができる。
【００５７】
また、上述したハードウェア、ソフトウェア構成は特に限定されるものではなく、上述した各構成要素の機能を実現可能であれば、いずれのものでも適用可能である。例えば、上述した各構成要素の機能毎に回路や部品等を独立させて個別に構成したものでも、複数の機能を１つの回路や部品等に組み入れて一体的に構成したものでも、いずれでもよい。
【００５８】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００５９】
本発明は、主に情報通信分野において利用可能である。特に、本発明は、ストリーミング配信時のデータ欠落等に対するデータ保障を行うことができるストリーミング配信システム、通信機器、そのストリーミング配信時のバージョンアップ制御方法及びプログラムの用途に利用可能である。
【符号の説明】
【００６０】
１  動画配信サーバ
２  ネットワーク
３  第１通信機器
４  第２通信機器
５  端末
６  バージョンアップサーバ
１１  動画配信サーバ
１２  ネットワーク
１３  回線終端装置
１４  ルータ
１５  端末
１６  バージョンアップサーバ
１７  記憶媒体
１４１  ＬＡＮ接続部
１４２  ＷＡＮ接続部
１４３  制御部
１４４  状態保存部
【図１】
2011015028.tif 000003
【図２】
2011015028.tif 000004
【図３】
2011015028.tif 000005
【図４】
2011015028.tif 000006
【図５】
2011015028.tif 000007
【図６】
2011015028.tif 000008